(57)【要約】  曲面状に湾曲した、放射線画像を撮影するための曲面検出器に関する。その製造方法は、放射線を電気信号に変換して放射線画像を取得するための検出器を曲面状に湾曲させた曲面検出器の製造方法において、光電素子が配列されたセンサ基板を予め設定された厚さにスリミングするステップと、前記予め設定された厚さにスリミングされたセンサ基板を、曲面状に湾曲した治具に装着して曲面状に湾曲させるステップと、前記治具により曲面状に湾曲した前記センサ基板が曲面を保持するように、前記センサ基板の上面に放射線にぶつかって発光するフレキシブルなシンチレータ基板を付着するステップと、を含み、前記シンチレータ基板と前記センサ基板との付着部に浮き上がり又は変形が防止されるように前記シンチレータ基板が前記センサ基板の曲率と同じ曲率で湾曲した状態で付着層により付着されて前記センサ基板の曲率を保持する。したがって、曲面状に湾曲した曲面検出器を製造して歪みを最小限に抑えた放射線画像を得ることができる。【選択図】図８
2021502560.tif 000002
【特許請求の範囲】
【請求項１】
放射線を電気信号に変換して放射線画像を取得するための検出器を曲面状に湾曲させた曲面検出器の製造方法において、
光電素子が配列されたセンサ基板を予め設定された厚さにスリミングするステップと、
前記予め設定された厚さにスリミングされたセンサ基板を、曲面状に湾曲した治具に装着して曲面状に湾曲させるステップと、
前記治具により曲面状に湾曲した前記センサ基板が曲面を保持するように、前記センサ基板の上面に放射線にぶつかって発光するフレキシブルなシンチレータ基板を付着するステップと、を含み、
前記シンチレータ基板と前記センサ基板との付着部に浮き上がり又は変形が防止されるように前記シンチレータ基板が前記センサ基板の曲率と同じ曲率で湾曲した状態で付着層により付着されて前記センサ基板の曲率を保持する
ことを特徴とする曲面検出器の製造方法。
【請求項２】
前記シンチレータ基板を付着するステップ後に、
前記シンチレータ基板と前記センサ基板との付着部に浮き上がり又は変形が防止されるように曲面状に付着された前記センサ基板と前記シンチレータ基板とを同じ曲率を有する曲面保持部材に固定するステップを含む
請求項１に記載の曲面検出器の製造方法。
【請求項３】
前記付着層は、
熱を加えた状態では融解し、常温では凝固する材料から形成される
請求項１に記載の曲面検出器の製造方法。
【請求項４】
前記シンチレータ基板を付着するステップは、
前記シンチレータ基板を前記センサ基板に重ねた状態で前記付着層が融解するように加熱するステップを含む
請求項３に記載の曲面検出器の製造方法。
【請求項５】
前記センサ基板を予め設定された厚さにスリミングするステップは、
前記センサ基板に実装された光電素子がスリミングを行うスリミング媒体に露出されることを防止するように、前記センサ基板における前記光電素子の実装部分を密封処理するステップを含む
請求項１に記載の曲面検出器の製造方法。
【請求項６】
前記光電素子の実装部分を密封処理するステップは、
前記センサ基板に前記スリミング媒体に耐性を有する保護部材を重ねるステップと、
前記保護部材が重ねられた状態で前記センサ基板と前記保護部材の周囲を密封シール
により密封するステップと、を含む
請求項５に記載の曲面検出器の製造方法。
【請求項７】
前記曲面状に湾曲した治具に装着して曲面状に湾曲させるステップは、
前記センサ基板に前記保護部材を付着した状態で前記治具に装着し、前記保護部材を除去するステップを含む
請求項５に記載の曲面検出器の製造方法。
【請求項８】
前記シンチレータ基板を付着するステップにおいては、
前記シンチレータ基板の曲率半径の方が前記センサ基板の曲率半径よりもさらに小さな曲率半径を有するように前記シンチレータ基板を湾曲させた状態で、前記シンチレータ基板の中央から両側端に向かって加圧ローラを移動させながら付着する
請求項１に記載の曲面検出器の製造方法。
【請求項９】
請求項１に記載の曲面検出器の製造方法により製造された曲面検出器。
【発明の詳細な説明】
【技術分野】
【０００１】
本発明は、曲面状に湾曲した、放射線画像を撮影するための曲面検出器に関する。
【背景技術】
【０００２】
一般的に、レントゲン（Ｘ−ｒａｙ；Ｘ線）撮影またはコンピュータ断層撮影（ｃｏｍｐｕｔｅｄ  ｔｏｍｏｇｒａｐｈｙ、略称：ＣＴ）は、放射線を身体に照射して放射線の透過度による放射線画像を得るものであり、これにより身体の内部を手術で確認しなくても身体の異常を判断することができた。
【０００３】
一方、ＣＴは、放射線が身体の一部を透過して断面形状の画像を得ることができるが、Ｘ線撮影は、放射線が身体の全体を透過して画像を得るもので、ＣＴよりは不正確であっても機器コストが安価であるため、簡単な身体の異常が発生した場合にはＸ線撮影のほうがより多く使われている。
【０００４】
Ｘ線撮影では、写真のように感光性フィルムを用いて放射線画像を撮影後に現像処理を行い画像を得ているが、現像のプロセスが複雑で結構時間がかかるので、近年は、感光性フィルムの代わりに、撮影された放射線画像をコンピュータに直ぐに伝送して確認できるＸ線検出器（Ｘ−ｒａｙ  ｄｅｔｅｃｔｏｒ）が、特許文献１に開示された。
【０００５】
上記の従来のＸ線検出器は、基板上に行に配列されたゲート配線の先端に連結されたゲートパッドと；列に配列されたデータ配線の先端に連結されたデータパッドと；ゲート配線と前記データ配線との交差部分に配列されたスイッチング素子と；スイッチング素子を駆動するための走査（Ｓｃａｎｎｉｎｇ）及びデータ集積回路チップと；を含み、走査及びデータ集積回路チップに突起電極を形成するステップと；ポリイミドフィルムを備えるステップと；ポリイミドフィルム上に位置するインナーリード電極と、ポリイミドフィルムの外側に位置するアウターリード電極とを有する第１及び第２のリード電極を形成するステップと；ゲートパッド及びデータパッドと、第１及び第２のリード電極のアウターリード電極とを連結し、走査及びデータ集積回路の突起電極に第１及び第２のリード電極のインナーリード電極を接触させるステップと；を含んで製造された。
【０００６】
このようなＸ線検出器は、Ｘ線検出器パネルと駆動集積回路との間の接続工程の時間を短縮し、狭い距離の接続端子の接続を図り、接続面積をも減らすことで、Ｘ線検出器のコンパクト化を実現することができた。
【０００７】
しかし、従来のＸ線検出器においては、身体の構造上、ほとんどが曲面で構成されるが、放射線源は点から放射されてＸ線検出器に照射されるものであるため、撮影される放射線画像が拡大されて歪むという問題があった。
【先行技術文献】
【特許文献】
【０００８】
【特許文献１】韓国登録特許公報第１０−０２７８４７９号（２００１年２月１日公告）
【発明の概要】
【発明が解決しようとする課題】
【０００９】
本発明は、上記問題を解決するために案出されたものであり、本発明が解決しようとする課題は、身体の屈曲に対応して曲面状に湾曲した曲面検出器を提供し、製造が比較的容易で、製造コストが低い曲面検出器を提供することである。
【課題を解決するための手段】
【００１０】
上記課題を達成するための本発明の実施形態に係る曲面検出器の製造方法は、放射線を電気信号に変換して放射線画像を取得するための検出器を曲面状に湾曲させた曲面検出器の製造方法において、光電素子が配列されたセンサ基板を予め設定された厚さにスリミングするステップと、前記予め設定された厚さにスリミングされたセンサ基板を、曲面状に湾曲した治具に装着して曲面状に湾曲させるステップと、前記治具により曲面状に湾曲した前記センサ基板が曲面を保持するように、前記センサ基板の上面に放射線にぶつかって発光するフレキシブルなシンチレータ基板を付着するステップと、を含み、前記シンチレータ基板と前記センサ基板との付着部に浮き上がり又は変形が防止されるように前記シンチレータ基板が前記センサ基板の曲率と同じ曲率で湾曲した状態で付着層により付着されて前記センサ基板の曲率を保持する。
【００１１】
前記シンチレータ基板を付着するステップ後に、前記シンチレータ基板と前記センサ基板との付着部に浮き上がり又は変形が防止されるように曲面状に付着された前記センサ基板と前記シンチレータ基板とを同じ曲率を有する曲面保持部材に固定するステップを含むことができる。
【００１２】
前記付着層は、熱を加えた状態では融解し、常温では凝固する材料から形成され得る。
【００１３】
前記シンチレータ基板を付着するステップは、前記シンチレータ基板を前記センサ基板に重ねた状態で前記付着層が融解するように加熱するステップを含むことができる。
【００１４】
前記センサ基板を予め設定された厚さにスリミングするステップは、前記センサ基板に実装された光電素子がスリミングを行うスリミング媒体に露出されることを防止するように、前記センサ基板における前記光電素子の実装部分を密封処理するステップを含むことができる。
【００１５】
前記光電素子の実装部分を密封処理するステップは、前記センサ基板に前記スリミング媒体に耐性を有する保護部材を重ねるステップと、前記保護部材が重ねられた状態で前記センサ基板と前記保護部材の周囲を密封シールにより密封するステップと、を含むことができる。
【００１６】
前記曲面状に湾曲した治具に装着して曲面状に湾曲させるステップは、前記センサ基板に前記保護部材を付着した状態で前記治具に装着し、前記保護部材を除去するステップを含むことができる。
【００１７】
前記シンチレータ基板を付着するステップにおいては、前記シンチレータ基板の曲率半径の方が前記センサ基板の曲率半径よりもさらに小さな曲率半径を有するように前記シンチレータ基板を湾曲させた状態で、前記シンチレータ基板の中央から両側端に向かって加圧ローラを移動させながら付着することができる。
【００１８】
本発明の実施形態に係る曲面検出器は、上述した製造方法により製造され得る。
【発明の効果】
【００１９】
本発明によれば、既製のセンサ基板を容易に曲面状に湾曲させるようにスリミングし、シンチレータ基板を付着させて撮影される放射線画像の歪みを最小限に抑えた曲面検出器を製造することができるのみならず、既製のセンサ基板を利用するため、製造が容易で製作コストが低いという利点がある。
【００２０】
また、センサ基板をスリミングする前にセンサ基板を密封処理してスリミングのためのスリミング媒体によるセンサ基板の損傷を最小限に抑えることができ、治具によりセンサ基板を曲面状に湾曲させるとき、センサ基板に保護部材を付着した状態で湾曲させるので、曲げ応力を分散してセンサ基板の破損を最小限に抑えることができる。
【００２１】
また、付着層は加熱により溶融する材料からなるので、付着層が凝固することにより曲面状に湾曲したセンサ基板の形状を保持することができるのみならず、付着層が液状に変化してシンチレータ基板とセンサ基板との間に染み込み、これにより光の屈折を最小限に抑え、付着層の厚さを最小限に抑えて鮮明な放射線画像を得ることができる。
【００２２】
また、シンチレータ基板の付着時には、シンチレータ基板の中央から両側端に向かって加圧ローラを移動させて、シンチレータ基板を迅速に付着するとともに異物の流入を最小限に抑えることができる。
【図面の簡単な説明】
【００２３】
【図１】本発明の実施形態に係る曲面検出器の製造方法において、センサ基板をスリミングする前に密封処理された状態を概略的に示す図である。
【図２】本発明の実施形態に係る曲面検出器の製造方法において、センサ基板をスリミングする状態を概略的に示す図である。
【図３】本発明の実施形態に係る曲面検出器の製造方法において、スリミングしたセンサ基板を治具により湾曲させる状態を概略的に示す側断面図であり、密封を除去する前の状態を概略的に示す図である。
【図４】本発明の実施形態に係る曲面検出器の製造方法において、スリミングしたセンサ基板を治具により湾曲させる状態を概略的に示す側断面図であり、密封を除去した後の状態を概略的に示す図である。
【図５】本発明の実施形態に係る曲面検出器の製造方法において、シンチレータ基板をセンサ基板に付着する状態を概略的に示す図である。
【図６】本発明の実施形態に係る曲面検出器の製造方法において、付着層が溶融材料から形成される場合、熱処理を行う状態を概略的に示す図である。
【図７】本発明の実施形態に係る曲面検出器の製造方法において、付着層をシンチレータ基板の両端に設けて熱処理を行う状態を概略的に示す図である。
【図８】本発明の実施形態に係る曲面検出器の製造方法により製造された曲面検出器を示す斜視図であり、曲面保持部材により曲面検出器を固定する状態を示す図である。
【発明を実施するための形態】
【００２４】
以下、添付図面を参照して本発明の実施形態を説明する。
【００２５】
図１及び図２に示すように、本発明の実施形態に係る曲面検出器１００の製造方法は、センサ基板１１０をスリミング（ｓｌｉｍｉｎｇ）するステップを含むことができる。
【００２６】
このセンサ基板１１０を薄厚にして湾曲させやすくするために、センサ基板１１０を予め設定された厚さにスリミングすることができる。
【００２７】
一方、センサ基板１１０としては、実際にかかる製作費用や設備の増大を抑えるために、既製のセンサ基板１１０を用いることができ、センサ基板１１０に、ガラス基板に放射線画像を撮影するための光電素子１１１が配列されて実装される形態に構成されてもよい。
【００２８】
また、光電素子１１１は、光を電気信号に変換するＣＣＤ又はＣＭＯＳ素子であり得、ガラス基板に実装された光電素子１１１は、印刷された回路電極により互いに電気的に連結されて光電変換された電気信号を伝達することができる。
【００２９】
ここで、光電素子１１１にはカラーフィルタが設けられ、入射される光の色に対応した互いに異なる電気信号を発生してカラー画像の電気信号が得られるように構成されてもよく、センサ基板１１０は、ＴＦＴ基板により具現化されてもよい。
【００３０】
一方、センサ基板１１０の薄厚化のためにスリミングする部分は、光電素子１１１が実装されるガラス基板の面とは逆方向のガラス基板であってもよい。
【００３１】
ここで、センサ基板１１０の薄厚化のためにスリミングする場合、化学的又は機械的な方法を用いることができ、スリミング処理用のスリミング媒体は、化学的な方法によるスリミングの際に使用されるエッチング液、又は機械的な方法によるスリミングの際に使用される水分（水）であってもよい。
【００３２】
図１に示すように、センサ基板１１０をスリミングするステップは、密封処理するステップを含むことができる。
【００３３】
密封処理するステップでは、センサ基板１１０をスリミングするステップを行う前に、スリミング媒体による光電素子１１１の損傷を防ぐために、光電素子１１１が実装されたセンサ基板１１０の面を密封処理することができる。
【００３４】
一方、密封処理するステップは、スリミング媒体に耐性を有する保護部材２１０をセンサ基板１１０に重ねた状態で、前記保護部材２１０の周囲の一部又は周囲の全体を、スリミング媒体に耐性を有する密封シール２２０により密封することで行われてもよい。
【００３５】
ここで、保護部材２１０は、センサ基板１１０と同じ大きさに形成されてもよく、保護部材２１０は、剛性を有するパネルまたは薄板のフレキシブルなフィルムであってもよく、保護部材２１０は、スリミング媒体による保護だけでなく、機械的な研磨時に発生する粉塵の流入を防止する機能を果たすこともできる。
【００３６】
図３及び図４に示すように、本発明の実施形態に係る曲面検出器１００の製造方法は、スリミングされたセンサ基板１１０を曲面状に湾曲させるステップを含むことができる。
【００３７】
このスリミングされたセンサ基板１１０を曲面状に湾曲させるステップでは、所望の形状に予め設定された曲面を有する治具３００にセンサ基板１１０を装着して、センサ基板１１０が治具３００の曲面に沿って湾曲するようにセンサ基板１１０を曲面状に湾曲させることができる。
【００３８】
また、センサ基板１１０は、光電素子１１１が実装された部分が上部に位置するように治具３００に装着され得、治具３００にセンサ基板１１０を装着するときは、保護部材２１０を除去していない状態で装着することができる。
【００３９】
ここで、センサ基板１１０を曲面状の治具３００に装着するとき、センサ基板１１０が湾曲することによりガラス基板に曲げ応力が加えられてガラス基板が破損してしまう恐れがある。
【００４０】
これを防止するために、治具３００にセンサ基板１１０を装着するときは、保護部材２１０を付着した状態で装着することで、保護部材２１０または周囲に設けられた密封シール２２０が、センサ基板１１０に作用する曲げ応力を分散させてセンサ基板１１０の破損を最小限に抑えることができる。
【００４１】
一方、センサ基板１１０が治具３００に装着されて曲面状に湾曲すると、保護部材２１０及び密封シール２２０をセンサ基板１１０から除去することができる。
【００４２】
図５に示すように、本発明の実施形態に係る曲面検出器１００の製造方法は、シンチレータ基板１３０を付着するステップを含むことができる。
【００４３】
このシンチレータ基板１３０は、放射線がぶつかりながら光を発生する蛍光物質からなってもよい。シンチレータ基板１３０は、治具３００により曲面状に湾曲したセンサ基板１１０の上面に付着されてもよい。
【００４４】
一方、シンチレータ基板１３０は、無機または有機蛍光物質から構成されてもよく、放射線の波長に応じてＮａＩ（Ｔｌ）、ＺｎＳ（Ａｇ）、ＣｓＩ（Ｔｌ）、ＬｉＩ（Ｔｌ）から構成されてもよい。シンチレータ基板１３０は、フレキシブルに湾曲する可撓性を有し得、予め製造された既製のシンチレータ基板１３０であり得る。
【００４５】
また、シンチレータ基板１３０は付着層１５０を含み得る。
【００４６】
この付着層１５０は、シンチレータ基板１３０の底面に付着され得、付着層１５０の接着性を用いて、治具３００により湾曲したセンサ基板１１０にシンチレータ基板１３０を付着させることができる。
【００４７】
このとき、シンチレータ基板１３０がセンサ基板１１０の曲率と同じ曲率で湾曲した状態で付着層１５０により付着されるので、シンチレータ基板１３０がセンサ基板１１０の湾曲状態を保持することができる。
【００４８】
一方、センサ基板１１０にシンチレータ基板１３０を付着する際には、シンチレータ基板１３０の曲率半径の方がセンサ基板１１０の曲率半径よりもさらに小さな曲率半径を有するようにシンチレータ基板を湾曲させた状態で、センサ基板１１０の中央とシンチレータ基板１３０の中央とを一致させ、先ずシンチレータ基板１３０の中央をセンサ基板１１０の中央に付着した後、シンチレータ基板１３０の両側端に向かって加圧ローラ４００を移動させながら加圧付着することができる。
【００４９】
ここで、一対の加圧ローラ４００は、それぞれ曲面の最も凹んだ中央から両側端に向かってシンチレータ基板を加圧しながら付着することにより、シンチレータ基板１３０をセンサ基板１１０に迅速に付着して生産速度を向上させることができ、迅速な付着により、シンチレータ基板１３０とセンサ基板１１０との間への異物の侵入を最小限に抑えることができる。
【００５０】
図６に示すように、付着層１５０の材料は、加熱により溶融し、常温では凝固して、凝固した状態で形状を保持できる、光透過性を有する光学性材料であり得、付着層１５０のガラス転移温度がシンチレータ基板１３０とセンサ基板１１０のガラス転移温度よりも低い温度を有する材料であり得る。
【００５１】
また、付着層１５０は、シンチレータ基板１３０がセンサ基板１１０の曲率半径と同じ曲率半径で湾曲した状態で、シンチレータ基板１３０がセンサ基板１１０に接着される面に溶融した状態で硬化し、これによりシンチレータ基板１３０の曲面状の湾曲状態を保持することができる。
【００５２】
また、付着層１５０では、曲面状に湾曲したシンチレータ基板１３０を、治具３００により曲面状に湾曲したセンサ基板１１０に重ねた状態で付着層１５０が溶融してシンチレータ基板１３０がセンサ基板１１０に付着されるように加熱する熱処理を行うことができ、加熱時には、光電素子１１１及び回路等の破損を防止するために直接的に加熱するのではなく、熱風など用いて間接的に加熱することができる。
【００５３】
ここで、付着層１５０が、熱により溶融し、常温で凝固する材料から形成される場合には、溶融した状態では液化されてシンチレータ基板１３０とセンサ基板１１０との付着部に隙間なく染み込み、これにより相互に付着される付着部に浮き上がり又は変形が生じなくシンチレータ基板１３０をセンサ基板１１０に付着させることができ、且つ、付着層１５０の硬化により形状を保つことができるので、治具３００からセンサ基板１１０を取り外しても曲面状を保持することができる。
【００５４】
一方、付着層１５０は、シンチレータ基板１３０の底面に全面的に設けられてもよく、シンチレータ基板１３０とセンサ基板１１０との間に気泡発生なく染み込むような任意のパターンの形状にシンチレータ基板１３０に設けられてもよい。
【００５５】
また、付着層１５０の外面には汚染防止フィルムが付着されており、シンチレータ基板１３０をセンサ基板１１０に付着するとき、汚染防止フィルムを除去した状態で付着することにより、付着層１５０に異物がつけられて溶融時に異物が原因で発生する光の屈折を防止することができる。
【００５６】
図７に示すように、他の例として、付着層１５０を、シンチレータ基板１３０の両側端にのみ予め設定された幅を有するように設けてもよく、このようにシンチレータ基板１３０の両側端に設けられた付着層１５０を加熱して溶融させると、液化された状態でシンチレータ基板１３０とセンサ基板１１０との間に毛細管現象により拡散されて染み込むとともに、曲面における最も凹んだ中央へと流れることによりシンチレータ基板１３０とセンサ基板１１０とを付着させることができる。
【００５７】
このように、また他の例として、付着層１５０をシンチレータ基板１３０の両端に設けて溶融時に中央へと染み込むように構成する場合には、付着層１５０の厚さを最小限に抑えることで、光の透過度を高めて鮮明な放射線画像の電気信号を取得することができる。
【００５８】
一方、付着層１５０は、常温では液状で存在し、紫外線を照射すると硬化するＵＶレジンから形成されてもよい。
【００５９】
図８に示すように、本発明の実施形態に係る曲面検出器１００の製造方法は、センサ基板とシンチレータ基板とを曲面保持部材１７０に固定するステップを含むことができる。
【００６０】
この曲面保持部材１７０に固定するステップでは、センサ基板１１０とシンチレータ基板１３０とが付着層１５０により互いに付着されて曲面状に湾曲した状態で、治具３００からセンサ基板１１０とシンチレータ基板１３０とを取り外した後、センサ基板１１０とシンチレータ基板１３０とが曲面を保持するように曲面保持部材１７０に固定してもよい。
【００６１】
一方、曲面保持部材１７０は、センサ基板１１０及びシンチレータ基板１３０の曲率と対応する曲率で形成され、センサ基板１１０とシンチレータ基板１３０とを挿入固定して曲面を保持できるようにするケースであってもよく、センサ基板１１０及びシンチレータ基板１３０の曲率と対応する曲率で形成され、センサ基板１１０とシンチレータ基板１３０とが付着された状態におけるいずれか一面または両面に固定または付着して曲面を保持できるようにするフレームまたはパネルであってもよい。
【００６２】
このような一連の過程を経て、本発明の実施形態に係る曲面検出器１００を製造することができる。
【００６３】
以下、本発明の実施形態に係る曲面検出器１００の製造方法をまとめて説明する。既製のセンサ基板１１０における光電素子１１１の実装面に保護部材２１０を重ねた状態で、センサ基板１１０及び保護部材２１０の周囲に密封シール２２０を設ける。
【００６４】
また、保護部材２１０及び密封シール２２０が設けられた状態で、曲面状に湾曲した治具３００に装着してセンサ基板１１０を治具３００の曲面に沿って湾曲させる。このとき、治具３００にセンサ基板１１０を装着するときは、保護部材２１０及び密封シール２２０を付着した状態で装着することで、保護部材２１０及び密封シール２２０がセンサ基板１１０に加えられる曲げ応力を分散させて、スリミングされたセンサ基板１１０の破損を最小限に抑える。
【００６５】
また、センサ基板１１０が治具３００に装着されると、密封シール２２０及び保護部材２１０をセンサ基板１１０から除去し、曲面状に湾曲したセンサ基板１１０にシンチレータ基板１３０を付着する。
【００６６】
一方、シンチレータ基板１３０をセンサ基板１１０に付着する際には、シンチレータ基板１３０の曲率半径の方がセンサ基板１１０の曲率半径よりもさらに小さな曲率半径を有するようにシンチレータ基板を湾曲させた状態で、加圧ローラ  ４００により中央部を先に付着し、両端に向かって加圧ローラ４００を移動させながらシンチレータ基板１３０を付着する。
【００６７】
ここで、シンチレータ基板１３０に付着された付着層１５０が、熱により溶融する材料から形成される場合には、付着層１５０に熱を加えて溶融させた状態で加圧ローラ４００により付着してもよく、シンチレータ基板１３０をセンサ基板１１０に湾曲させた状態で装着し、この状態で熱を加えて付着層１５０を溶融させて付着してもよい。
【００６８】
このとき、付着層１５０が溶融する材料から形成される場合、付着層１５０が液状に溶融してシンチレータ基板１３０とセンサ基板１１０との間に全面的に染み込んで合着するため、光の屈折を最小限に抑え、付着層１５０の厚さを最小限に抑えて光の透過度を高めることで、鮮明な放射線画像の電気信号を取得することができる。
【００６９】
一方、シンチレータ基板１３０がセンサ基板１１０に付着されると、治具３００から、シンチレータ基板１３０が合着したセンサ基板１１０を取り外し、曲面保持部材１７０を付着するか、または曲面保持部材１７０に挿入することにより、シンチレータ基板１３０及びセンサ基板１１０の曲率変化を防止するために永久的に固定して曲面検出器１００の製造を完了する。
【００７０】
したがって、本発明の実施形態に係る曲面検出器１００の製造方法およびこの製造方法により製造された曲面検出器１００は、既製のセンサ基板１１０を容易に湾曲させるためにスリミングし、シンチレータ基板１３０を曲面状に湾曲させて付着して製造されるため、曲面検出器１００を容易に製造することができ、且つ、製作コストを低減することができる。
【００７１】
また、センサ基板１１０をスリミングする際に密封処理することで、スリミング媒体によるセンサ基板１１０の損傷を防止することができる。
【００７２】
また、熱により溶融し常温では凝固する材料から付着層１５０を構成することで、センサ基板１１０及びシンチレータ基板１３０の湾曲状態を保持することができ、且つ、光の屈折を最小限に抑え、付着層１５０の厚さを最小限に抑えて光の透過性を高めることができ、これにより鮮明な放射線画像が撮影された電気信号を取得することができる。
【００７３】
また、センサ基板１１０にシンチレータ基板１３０を付着する際に、加圧ローラ４００をシンチレータ基板１３０の中央から両端に向かって移動させながら付着するので、迅速かつ容易に付着できるだけでなく、異物の流入を最小限に抑えることができる。
【００７４】
また、センサ基板１１０とシンチレータ基板１３０とを、曲面を保持するように曲面保持部材１７０に固定して曲率の変形を最小限に抑えることができる。
【００７５】
以上で本発明の実施形態を説明したが、本発明の権利範囲はこれに限定されず、本発明の実施形態から本発明が属する技術分野で通常の知識を有する者により容易に変更されて均等であると認められる範囲のすべての変更および修正を含む。
【符号の説明】
【００７６】
１００  曲面検出器
１１０  センサ基板
１１１  光電素子
１３０  シンチレータ基板
１５０  付着層
１７０  曲面保持部材
２１０  保護部材
２２０  密封シール
３００  治具
４００  加圧ローラ
【図１】
2021502560.tif 000003
【図２】
2021502560.tif 000004
【図３】
2021502560.tif 000005
【図４】
2021502560.tif 000006
【図５】
2021502560.tif 000007
【図６】
2021502560.tif 000008
【図７】
2021502560.tif 000009
【図８】
2021502560.tif 000010
【国際調査報告】
2021502560.tif 000011
2021502560.tif 000012
2021502560.tif 000013
2021502560.tif 000014